(57)【要約】【課題】使用者の身につけて使用するのに好ましいと共に、害虫防除性能に優れたファン式害虫防除装置とする。【解決手段】軸流ファン３を駆動することで吸気口６から空気を吸い込み、その空気を薬剤担持体２に流通させて害虫防除成分を含有した空気とし、その空気を排気口７から排出して害虫防除成分を気中に放散するようにし、前記吸気口６は軸流ファン３の上流側において軸方向に向けて開口し、前記排気口７は軸流ファン３の下流側で径方向に向けて開口し、前記軸流ファン３を囲む環状壁８と、前記排気口７と軸流ファン３の吐出部を連通する空気流通路９を設けることで、軸流ファン３からその軸方向に吐出された空気が径方向に向きを変化して排気口７から排出されるようにしたファン式害虫防除装置。【選択図】図２
2008259467.tif 000002
【特許請求の範囲】
【請求項１】
軸流ファン３を駆動することで吸気口６から空気を吸い込み、その空気を害虫防除成分を担持した薬剤担持体２を流通させることで害虫防除成分を含有した空気とし、その空気を排気口７から排出して害虫防除成分を気中に放散するファン式害虫防除装置であって、
前記吸気口６は軸流ファン３よりも上流側において当該軸流ファン３の軸方向に向けて開口し、
前記排気口７は軸流ファン３よりも下流側において当該軸流ファン３の径方向に向けて開口し、
前記軸流ファン３の空気流れをガイドする環状壁８と、前記軸流ファン３の吐出部３ｄと排気口７を連通する空気流通路９をそれぞれ設け、
前記環状壁８は、前記軸流ファン３の翼端３ｃと相対向した内周面を有し、
前記内周面は、略円形状で軸流ファン３の翼端３ｃとの間にクリアランスを有して相対向した空気ガイド部８ａを有し、
前記空気流通路９は、前記軸流ファン３から吐出された当該軸流ファン３の軸方向に向かう空気を、径方向に向けて変化させる形状としたことを特徴とするファン式害虫防除装置。
【請求項２】
前記空気流通路９は、外周側ガイド面９ａと、この外周側ガイド面９ａと径方向に対峙し軸流ファン３のボス３ａから排気口７まで連続した内周側ガイド面９ｂを有し、
前記外周側ガイド面９ａと内周側ガイド面９ｂの少なくともいずれか一方は空気が乱れることなくスムーズに流れる形状である請求項１記載のファン式害虫防除装置。
【請求項３】
前記環状壁８の内周面における空気ガイド部８ａよりも吸込側に、吸気口６に向けて順次大径となる漏斗状の空気吸込み部１０を形成した請求項１又２記載のファン式害虫防除装置。
【請求項４】
前記害虫防除成分を担持した薬剤担持体２は、吸気口６と軸流ファン３の間、または軸流ファン３と排気口７の間の少なくともいずれか一方に設けられた請求項１〜３いずれか１項に記載のファン式害虫防除装置。
【請求項５】
前記軸流ファン３の翼端３ｃと環状壁８の内周面における空気ガイド部８ａとの間のクリアランス寸法ｃは、当該軸流ファン３の外径Ｄ１の３％以下である請求項１〜４いずれか１項に記載のファン式害虫防除装置。
【請求項６】
前記環状壁８の軸方向の長さＬ１は、軸流ファン３の軸方向の長さＬ２の０．５〜１．７倍である請求項１〜５いずれか１項に記載のファン式害虫防除装置。
【請求項７】
前記空気流通路９における排気口側部分９ｃの軸流ファン軸方向の寸法Ｈ１は、軸流ファン３の外径Ｄ１の５％〜４０％である請求項１〜６いずれか１項に記載のファン式害虫防除装置。
【発明の詳細な説明】
【技術分野】
【０００１】
本発明は、害虫防除成分を担持した薬剤担持体に、ファンを用いて空気を流通させ、空気とともに害虫防除成分を気中に放散するファン式害虫防除装置に関する。
【背景技術】
【０００２】
従来から、薬剤担持体にファンを用いて空気を流通させ、空気とともに害虫防除成分を気中に放散するファン式害虫防除装置が、種々提案されている。
例えば、特許文献１に開示されたファン式害虫防除装置が提案されている。
このファン式害虫防除装置は、チャンバの一端に吸気口、他端に排気口を設け、そのチャンバ内にファンと、害虫防除成分を保持した薬剤担持体を設け、そのファンをモータで回転するようにしたもので、前記ファンを回転することで吸気口から気中の空気を吸い込み、その空気を薬剤担持体に流通させ、その薬剤担持体を流通した空気を、害虫防除成分を含む空気とし、その空気を排気口から排出して害虫防除成分を気中に放散するようにしたものである。
【０００３】
また、特許文献２に開示されたファン式害虫防除装置が提案されている。
このファン式害虫防除装置は、チャンバ内に設けた薬剤担持体と、ファンと、このファンを回転するモータと、電池を備え、前記ファンを回転することで前記薬剤担持体に空気を流通させ、その薬剤担持体を流通した空気を害虫防除成分を含む空気とし、その空気をチャンバ内に吸い込むと共に、その空気を排気口から気中に排出し、害虫防除成分を気中に放散するようにしたものである。
【０００４】
【特許文献１】特開平１１−０２８０４０号公報
【特許文献２】特開２００１−１９７８５６号公報
【発明の開示】
【発明が解決しようとする課題】
【０００５】
前述の特許文献１に記載したファン式害虫防除装置は、吸気口と排気口が、それぞれファンの軸方向に向かっているので、その吸気口と排気口が一直線状に位置する。
このようであるから、ファン式害虫防除装置を使用者の腰、手などの身につけて使用すると、吸気口あるいは排気口が使用者の身によって閉じられ、空気の流れが悪くなる恐れがあるので、使用者の身につけて使用するファン式害虫防除装置として好ましくない。
【０００６】
また、前述した特許文献２に記載されたファン式害虫防除装置は、ファンの軸方向から気中の空気を吸い込み、その空気を害虫防除成分に流通させることで害虫防除成分を含む空気とし、その空気をファンの径方向に排出して気中に放散するので、空気の吸い込み方向と害虫防除成分を含む空気の排出方向が９０度異なる。
このようであるから、ファン式害虫防除装置を使用者の腰、手などの身につけて使用する場合に、吸気口、排気口の一方が使用者の身で閉じられることがないので、使用者の身につけて使用するファン式害虫防除装置として好ましい。
【０００７】
しかし、前述の特許文献１に記載されたファン式害虫防除装置と特許文献２に記載されたファン式害虫防除装置を、同一条件で害虫防除性能テストを実施した結果、特許文献２に記載されたファン式害虫防除装置の方が特許文献１に記載されたものより害虫防除性能が劣っていた。
【０００８】
本発明の目的は、使用者の身につけて使用するのに好ましいと共に、害虫防除性能が優れているファン式害虫防除装置とすることである。
【課題を解決するための手段】
【０００９】
本発明者等は、前述の害虫防除性能の優劣について鋭意研究実験した結果、次のことを見出した。
すなわち、特許文献１に開示されたファン式害虫防除装置は、ファンとして軸流ファンを用いていると共に、吸込口と排気口がファンの軸方向にそれぞれ向かうと共に、一直線状に位置しているので、吸気口から排気口までの空気流れがスムーズで空気流通抵抗が少ないから、そのファンによって吸い込まれた空気が排気口からスムーズに排出されることになり、薬剤担持体を流通する空気の量が多く、保持している害虫防除成分に多量の空気が触れ、その薬剤担持体を通過した空気中に含有される害虫防除成分の量が多いので、害虫防除性能が優れたものとなる。
【００１０】
これに対して、特許文献２に記載されたファン式害虫防除装置は、チャンバのファン軸方向に吸気口が形成され、そのチャンバの周面におけるファンの径方向に排気口が形成され、その排気口はファンと対峙しているので、ファンの回転によって吸気口から吸い込まれた空気は排気口から直ちに排出されるから、その吸い込まれた空気は翼端からの漏れ、四方への拡散を伴い、体積効率、特に流量が激減するので、薬剤担持体を流通する空気の量が少なく、保持している害虫防除成分に触れる空気の量が少なく、その薬剤担持体を流通した空気中に含有される害虫防除成分の量が少ないから、害虫防除性能が劣ると考えられる。
【００１１】
本発明者等は前述のことから、使用者の身につけて使用するのに好ましいと共に、害虫防除性能の優れたファン式害虫防除装置を発明するに到った。
【００１２】
本発明は、軸流ファン３を駆動することで吸気口６から空気を吸い込み、その空気を害虫防除成分を担持した薬剤担持体２を流通させることで害虫防除成分を含有した空気とし、その空気を排気口７から排出して害虫防除成分を気中に放散するファン式害虫防除装置であって、
前記吸気口６は軸流ファン３よりも上流側において当該軸流ファン３の軸方向に向けて開口し、
前記排気口７は軸流ファン３よりも下流側において当該軸流ファン３の径方向に向けて開口し、
前記軸流ファン３の空気流れをガイドする環状壁８と、前記軸流ファン３の吐出部３ｄと排気口７を連通する空気流通路９をそれぞれ設け、
前記環状壁８は、前記軸流ファン３の翼端３ｃと相対向した内周面を有し、
前記内周面は、略円形状で軸流ファン３の翼端３ｃとの間にクリアランスを有して相対向した空気ガイド部８ａを有し、
前記空気流通路９は、前記軸流ファン３から吐出された当該軸流ファン３の軸方向に向かう空気を、径方向に向けて変化させる形状としたことを特徴とするファン式害虫防除装置である。
【００１３】
本発明においては、前記空気流通路９は外周側ガイド面９ａと、この外周側ガイド面９ａと径方向に対峙し軸流ファン３のボス３ａから排気口７まで連続した内周側ガイド面９ｂを有し、
前記外周側ガイド面９ａと内周側ガイド面９ｂの少なくともいずれか一方は空気が乱れることなくスムーズに流れる形状であることが好ましい。
【００１４】
このようにすれば、軸流ファン３から吐出された軸方向に向かう空気は、外周側ガイド面９ａ、内周側ガイド面９ｂの少なくとも一方にガイドされてスムーズに流れ、その流通抵抗が著しく小さいので、より多量の空気を吐き出すことができ、害虫防除性能がより優れたものとなる。
【００１５】
本発明においては、環状壁８の内周面における空気ガイド部８ａよりも吸込側に、吸気口６に向けて順次大径となる漏斗状の空気吸込み部１０を形成することが好ましい。
【００１６】
このようにすれば、流入側のケーシング境界層の渦発生による損失が減るため、環状壁８の内周面及び軸流ファン３への空気のスムーズな受け渡しが可能となり、損失低減によりファン効率が高まるので、軸流ファン３の吸い込み効率が向上する。
【発明の効果】
【００１７】
本発明によれば、吸気口６が軸流ファン３の軸方向に向けて開口し、排気口７は軸流ファン３の径方向に向けて開口しているので、空気吸い込み方向と害虫防除成分を含有した空気の排出方向が異なり、また全周方向への排出が可能であるため、使用者の腰、手などの身につけて使用するファン式害虫防除装置は勿論のこと、屋内、屋外の様々な場面で使用するファン式害虫防除装置として好適である。
【００１８】
また、前記環状壁８の内周面、特に空気ガイド部８ａによって軸流ファン３による軸方向の空気流れが助長され、吸い込みされた空気が翼端から漏れたり四方へ拡散することがないので、軸流ファン３で多量の空気を流通させることができる。また、このクリアランスの低減は、軸流ファン翼端からの上流側への漏れ流れ、漏れ渦発生の低減をもたらし、より効率的に多量の空気を流通させることができる。
したがって、薬剤担持体２が担持している害虫防除成分に多量の空気が触れ、その薬剤担持体２を流通した空気中に含有される害虫防除成分の量が多く、害虫防除性能が優れたものである。
【発明を実施するための最良の形態】
【００１９】
本発明の実施の形態を図１、図２、図３、図４に基づいて説明する。
装置本体１と、この装置本体１に設けた薬剤担持体２、軸流ファン３、モータ４と、電源部５でファン式害虫防除装置を構成している。前記薬剤担持体２は軸流ファン３の上流側（吸込側）に位置している。
前記装置本体１は吸気口６と排気口７を備えている。
前記吸気口６は、軸流ファン３の上流側で軸方向に向けて開口し、軸流ファン３を回転することで、当該軸流ファン３の軸方向から気中の空気を矢印ａで示すように吸い込む。
前記排気口７は、軸流ファン３の径方向に向けて開口していると共に、軸流ファン３よりも下流寄りに位置し、軸流ファン３を回転することで、当該軸流ファン３の径方向に向けて空気を矢印ｂで示すように排出する。
前記薬剤担持体２は害虫防除成分を担持している。
前記軸流ファン３はボス３ａに複数の翼３ｂを放射状に設けたものである。そのボス３ａがモータ４の回転軸４ａに連結され、そのモータ４を駆動することで軸流ファン３が回転する。
【００２０】
前記装置本体１には、前記軸流ファン３の軸方向の空気流れをガイドする環状壁８が設けてある。
この環状壁８は軸流ファン３の翼端３ｃ（各翼３ｂの先端面）の周囲を囲み、軸流ファン３の回転による軸方向の空気流れを助長する内周面を有している。
この内周面は、略円形状で軸流ファン３の翼端３ｃとの間にはクリアランス（隙間）が周方向に連続して有する空気ガイド部８ａを備えている。
前記環状壁８の内周面、特に空気ガイド部８ａによって軸流ファン３による軸方向の空気流れが助長され、吸い込みされた空気が翼端から漏れたり、四方へ拡散することがないので、軸流ファン３で多量の空気を流通させることができる。
この環状壁８がない場合、例えば前述した従来のように軸流ファン３の翼端と対向して径方向の排気口が形成されている場合には、空気流れは軸流ファン３の翼端からの漏れ、四方への拡散を伴い、流れる空気の量が減少する。
【００２１】
前記軸流ファン３の下流側（つまり、吐出側）には空気流通路９が設けてある。
この空気流通路９は、軸流ファン３の吐出部３ｄ（翼３ｂの下端面）と排気口７を連通し、軸流ファン３から吐出した空気を前記排気口７に流通するための導風路の役目を果たすものである。
そして、前記軸流ファン３から吐出した空気は、当該軸流ファン３の軸方向に向かい、前記排気口７は軸流ファン３の径方向に向いているので、前記空気流通路９は軸方向に向けて流入した空気を径方向に向かう流れに変化させる形状としてある。
【００２２】
このようであるから、モータ４を駆動して軸流ファン３を回転することで、吸気口６から空気が矢印ａで示すように吸い込まれ、その空気は薬剤担持体２を流通し、その薬剤担持体２を流通した空気は害虫防除成分を含有する。
この害虫防除成分を含有した空気は、環状壁８の内周面（空気ガイド部８ａ）によって軸流ファン３の軸方向に向かう空気流れとして空気流通路９に流入し、その空気流通路９に沿って流通することで軸流ファン３の径方向に向かう流れに変化し、排気口７から排出される。
【００２３】
したがって、空気の吸い込み方向（吸気口６の開口方向）と害虫防除成分を含有した空気の排出方向（排気口７の開口方向）が異なり、また全周方向への排出が可能であるため、使用者の腰、手などの身につけて使用するファン式害虫防除装置としては勿論のこと、屋内、屋外の様々な場面で使用するファン式害虫防除装置として好適である。
【００２４】
また、環状壁８の内周面、特に空気ガイド部８ａで軸流ファン３による軸方向の空気流れが助長され、吸い込みされた空気が翼端から漏れたり四方へ拡散することがないので、軸流ファン３により多量の空気が流通する。
したがって、薬剤担持体２が担持している害虫防除成分に多量の空気が触れ、その薬剤担持体２を流通した空気中に含有される害虫防除成分の量が多く、害虫防除性能が優れたものである。
【００２５】
次に、各部の好ましい実施の形態を説明する。
前記空気流通路９は、環状壁８の内周面における吐出側に設けた外周側ガイド面９ａ、例えば前記空気ガイド部８ａの吐出側端部８ｂ（軸流ファン３の吐出部３ｄと対向した下流部分）と前記排気口７と連続する外周側ガイド面９ａと、この外周側ガイド面９ａと径方向に対向し軸流ファン３のボス３ａと前記排気口７を連続する内周側ガイド面９ｂを有している。
この外周側ガイド面９ａ、内周側ガイド面９ｂは、軸流ファン３から吐出された空気（軸流ファン３の軸方向に向かう空気）を、軸流ファン３の径方向に向けて変化すると共に、その空気流れが乱れの少ないスムーズに流れる形状としてある。
例えば、略円弧形状又は、単一もしくは複数の直線からなるテーパ形状、またはテーパ形状と略円弧形状を組み合わせた形状、好ましくは、流線形状である。
すなわち、前記軸流ファン３によって軸方向に流れている空気を半径方向に転向させる場合、下流側端面への衝突損失や境界層の流れによる損失が発生する。これをできる限る少なくするために、流出方向に沿った方向へ向け、テーパや円弧にて空気を導いてやることで、衝突損失や渦発生による損失を低減することができる。
また、外周側ガイド面９ａは、半径方向への空気の広がりを司ることでディフューザとしての役目もあり、渦損失のない圧力回復をさせる（つまり、この圧力で空気を遠くまで飛ばす）効果が大きい。
【００２６】
この実施の形態では、環状壁８の内周面における空気ガイド部８ａよりも吐出側（空気ガイド部８ａの吐出側端部８ｂよりも吐出側に突出した部分）に前記外周側ガイド面９ａを形成している。
つまり、環状壁８の内周面は、空気ガイド部８ａと、この空気ガイド部８ａの吐出側に外周面ガイド面９ａを有している。
【００２７】
前記環状壁８の内周面における吸込側に空気吸込み部１０が形成してある。例えば、前記空気ガイド部８ａの吸込側端部８ｃよりも吸込側に空気吸込み部１０が形成してある。
この空気吸込み部１０は、吸気口６に向けて順次大径となる漏斗状で、吸込口６から空気がスムーズに吸い込みされるようにしてある。
【００２８】
具体的には、内周面の空気ガイド部８ａの径よりも吸気口６の径を大きくし、環状壁８の内周面における空気ガイド部８ａの吸込側端部８ｃよりも吸気口６側に突出した部分の内周面を吸気口６に向けてテーパ形状に拡径して漏斗状の空気吸込み部１０としてある。
この空気吸込み部１０は略円弧形状でも良い。
すなわち、前記空気吸込み部１０のテーパや円弧による流入角を適切に設定することで流入側のケーシング境界層の渦発生による損失が減るため、環状壁８の内周面及び軸流ファン３への空気のスムーズな受け渡しが可能となり、損失低減によりファン効率が高まるので、軸流ファン３の吸い込み効率が向上する。
【００２９】
前述のように、環状室８の内周面は、空気ガイド部８ａと、吐出側の外周側ガイド面９ａと、吸込側の空気吸込み部１０を備え、その外周側ガイド面９ａをテーパ部９ａ−１を有する形状、空気吸込み部１０をテーパ形状としているが、これに限ることはなく、図５（ａ）に示すように空気ガイド部８ａと、テーパ部９ａ−１を有した外周側ガイド面９ａを有する形状、図５（ｂ）に示すように空気ガイド部８ａと外周側ガイド面９ａと空気吸込み部１０を有する形状、図５（ｃ）に示すように空気ガイド部８ａが環状壁８の全長と同一長さの形状としても良い。
また、前述の環状壁８は空気ガイド部８ａ、外周側ガイド面９ａ、空気吸込み部１０を有した一体形状としてあるが、前記環状壁８は空気ガイド部８ａ、外周側ガイド面９ａ、空気吸込み部１０をそれぞれ別部材で形成しても良い。
【００３０】
図６に示すように、軸流ファン３の翼端３ｃと環状壁８の空気ガイド部８ａとの間が最も近接するクリアランス寸法ｃは、軸流ファン３の外径Ｄ１の３％以下が好ましい。このクリアランスの低減は、軸流ファン翼端側からの上流側への漏れ流れ、漏れ渦発生の低減をもたらし、本来は限りなく零に近い方が良いが、ファン軸の振れや環状面の成形誤差、あるいは組み立て誤差などの原因で、最小でも軸流ファン３の外径Ｄ１の０．５〜１％程度である。
また、図６に示すように、空気流通路９における排気口側部分９ｃの軸流ファン軸方向の寸法（高さ）Ｈ１は、軸流ファン３の外径Ｄ１の５％〜４０％であることが好ましい。
【００３１】
また、図６に示すように、前記環状壁８の軸方向の長さＬ１は、軸流ファン３の翼端３ｃの軸方向長さＬ２（ファン高さ）の０．５〜１．７倍であることが好ましい。
すなわち、環状壁８は、その空気ガイド部８ａの軸方向の長さの最小の値は軸流ファン３の軸方向の長さＬ２の１／２で、この空気ガイド部８ａは軸流ファン３の軸方向中央部（Ｌ２／２）と吐出部との間（軸方向半分の吐出側部分）で翼端３ｃと対向することが好ましい。
そして、内周面が空気ガイド部８ａと外周側ガイド部９ａと空気吸込み部１０を有する形状の時は、その環状壁８の最大長さを軸流ファン３の長さＬ２の１．７倍とする。
要するに、空気ガイド部８ａは、少なくとも軸流ファン３の軸方向半分の吐出側部分の翼端３ｃと対向していれば良い。
【００３２】
前記軸流ファン３のボス３ａは周壁１１と上板１２で有底の下向きに筒形状で、その周壁１１に翼３ｂが設けてあると共に、上板１２にモータ４の回転軸４ａが連結されている。
前記周壁１１は上流から下流側に向けて順次大径となるテーパ形状で、図６に示すように、そのテーパ角度θは０．５°〜３０°が好ましい。ボスに軸方向流入側に広がるテーパを付けることで軸に直角な断面積を縮小し、軸流ファン３内での中心流線上における絶対速度（流体の流速）を加速させることができる。これにより、下流側で運動エネルギーの圧力回復ができればファン効率を増加させることが可能となる。特に、本願では軸流方向から半径方向へ空気の流れを変化させる必要があるので、ボステーパを付けることで渦損失を低減しながらこの変化をスムーズに行えるメリットは大きい。
前記周壁１１と上板１２を連続するコーナー部分１３は滑らかな形状、例えば円弧形状、テーパ形状、又は円弧形状とテーパ形状を組み合わせた形状とすることが好ましい。
【００３３】
次に、図示のファン式害虫防除装置を詳細に説明する。
前記装置本体１は、上部本体２０と中間部本体３０と下部本体４０を備えている。
前記上部本体２０は内側筒体２１に外側筒体２２を着脱自在に取付け、その内側筒体２１の先端面に薬剤担持体２を設け、外側筒体２２で保持している。
前記内側筒体２１が前記環状壁８を構成している。
前記外側筒体２２に前記吸気口６と排気口７が形成してある。
前記中間部本体３０はモータ取付穴３１を有する。この中間部本体３０と内側筒体２１は周方向に間隔を置いた複数の連結部３２で上下方向に離隔して連結され、両者の間に前記軸流ファン３の翼３ｂが位置していると共に、前記空気流通路９を構成している。
前記外側筒体２２の下端開口は中間部本体３０の連結部３２に嵌まり合い、その外側筒体２２の下端寄り部分を切欠きして排気口７としてある。
【００３４】
前記連結部３２は空気の流れに触れるため、その形状は水平断面形状で、水滴形、翼形等、空気の流れを阻害しない形状にして、案内翼の役割を持たせても良い。
また、前記案内翼は連結部３２とは別に設けても良い。例えば内周側ガイド面９ｂに設けることで、ファン効率が高まる。
さらに、連結部３２の設置間隔は、指などが外部からファンをさわり怪我をしないような間隔で設定すると良い。
【００３５】
前記薬剤担持体２は、害虫防除成分を担持したシート２３を保持枠２４で保持したものとしてある。
これに限ることはなく、空気が流通する容器内に害虫防除成分を担持した粒状物を多数収容したもの等でも良い。
【００３６】
前記下部本体４０は、本体４１とカバー４２を備え、その本体４１には電池収容部４３が形成され、電池４４が収容されてカバー４２で脱落しないように保持している。
前記下部本体４０の本体４１には一対のバンド取付部４５が設けてあり、そのバンド取付部４５に図示しないバンドを取付けるようにしてある。
この下部本体４０の本体４１が中間部本体３０にビス等で固着して取付けてある。
【００３７】
このようであるから、図１〜図３に示すファン式害虫防除装置はバンドを用いて使用者の手や胴に取付けて使用することができる。
【００３８】
次に、本発明の他の実施の形態について説明する。
前述の実施の形態では排気口７から排出される空気の方向が９０度としてあるが、これに限ることはなく任意の角度の方向に排出することが可能である。
例えば、図７（ａ）に示す空気流通路９の形状として直角よりも小さい角度（８０度）の方向に排出する。
図７（ｂ）に示す空気流通路９の形状として直角よりも大きな角度（１２０度）の方向の排出する。
【００３９】
この排気口７から空気を排出する方向は、そのファン式害虫防除装置の使用目的、場所によって設定することができる。
例えば、使用者の腰につけて使用する場合には、吸気口６が横向き（水平）となるから、８０度〜１００度の範囲で使用者に沿った方向に排出するようにする。
また、天井に吊り下げて使用する場合には、吸気口６が縦向き（垂直）となるから、１００度〜７０度の範囲で下向きに排出する。
また、床面に設置して使用する場合には、１００度から１６０度の範囲で上向きに排出する。
【００４０】
前記空気流通路９の形状は、図８（ａ）に示すように内周側ガイド面９ｂをスムーズに空気が流れる形状とし、外周側ガイド面９ａは直線形状としても良い。
また、図８（ｂ）に示すように外周側ガイド面９ａをスムーズに空気が流れる形状とし、内周側ガイド面９ｂは鉤形状としても良い。
要するに、空気流通路９に空気が乱れが少なくスムーズに流れるようにするには、外周側ガイド面９ａ、内周側ガイド面９ｂを空気がスムーズに流れる形状とすることが最も好ましいが、どちらか一方のガイド面のみを空気がスムーズに流れる形状としても良い。
【００４１】
また、前述のようにした場合に漏斗状の空気吸込み部１０を形成すれば、空気の吸い込み効率がより一層向上するが、図９に示すように空気流通路９の外周側ガイド面９ａ、内周側ガイド面９ｂを直線形状、鉤形状とした場合でも、漏斗状の空気吸込み部１０を形成することで空気の吸い込み効率を向上できる。
【００４２】
前述の実施の形態では薬剤担持体２を吸気口６側に設けたが、図１０、図１１に示すように排気口７側に設けても良い。
この実施の形態の薬剤担持体２は、リング形状のハニカム構造体２５に薬剤を担持し、そのハニカム構造体２５の上下面にプレート２６をそれぞれ固着したリング形状で、空気流通路９の排気口側部分９ｃに取付けてある。
また、吸気口６側と排気口７側に薬剤担持体２をそれぞれ設けても良い。
【００４３】
要するに、薬剤担持体２は、吸気口６と軸流ファン３との間、又は排気口７と軸流ファン３との少なくともいずれか一方に設ければ良い。
【００４４】
前述の実施の形態では、空気流通路９の排気口側部分９ｃと排気口７を別としたが、その排気口側部分９ｃから空気を直接排出し、その排気口側部分９ｃと排気口７を同一としても良い。
【００４５】
次に、本発明に係るファン式害虫防除装置の試験例を説明する。
軸流ファン３については、表１に示すように、ファン高さＬ２、ボス径Ｄ２、ボステーパ角度θの異なる３種類を準備した
【００４６】
【表１】
2008259467.tif 000003
【００４７】
環状壁８については、表２に示すように、その軸方向の長さＬ１、クリアランス寸法ｃ、空気吸込み部１０のテーパの大きさ、外周側ガイド面９ａのテーパの大きさの異なる１２種類を準備した。
【００４８】
【表２】
2008259467.tif 000004
【００４９】
下部構造については、表３に示すように、排出口側部分高さＨ１、内周側ガイド面の形状の異なる４種類を準備した。
【００５０】
【表３】
2008259467.tif 000005
【００５１】
なお、表２、表３における型番ＳＴＤ（スタンダード）とは比較対照装置である。
この比較対照装置は、前述した特許文献２に記載されたと同様のファン式害虫防除装置である。
例えば、図１２に示すように、本発明に係るファン式害虫防除装置における軸流ファン３の翼３ｂと対峙した部分に排気口７を形成し、軸流ファン３の回転によって吸気口６から吸い込んだ空気を、その軸流ファン３の翼３ｂと対峙した部分から径方向に排出するファン式害虫防除装置を比較対照装置とした。
【００５２】
そして、表４に示すように、軸流ファンと下部構造をそれぞれ型番１とし、環状壁を型番１〜１２と変えてＮＯ．１〜ＮＯ．１２の試験装置とした。
【００５３】
【表４】
2008259467.tif 000006
【００５４】
同様に、表５に示すように、軸流ファンと環状壁を型番１とし、下部構造を変えてＮＯ．１３〜ＮＯ．１５の試験装置とした。
【００５５】
【表５】
2008259467.tif 000007
【００５６】
さらに、表６に示すように、環状壁と下部構造を型番１とし、軸流ファンを変えてＮＯ．１６，ＮＯ．１７の試験装置とした。
【００５７】
【表６】
2008259467.tif 000008
【００５８】
前述の試験装置と比較対照装置における軸流ファンの外径Ｄ１は５５ｍｍ、翼枚数は７枚、薬剤担持体２の径は６４ｍｍ、モータの印加電圧は３．０Ｖ、軸流ファンの回転数は１４５０ｒｐｍと共通とした。
【００５９】
前述の試験装置と比較対照装置を用いて次のように試験した。
［供試虫］イエバエ（Ｍｕｓｃａ  ｄｏｍｅｓｔｉｃａ）雌成虫羽化後３〜５日目伝研系。
［供試薬剤］メトフルトリン（住友化学工業株式会社）を含浸した直径６４ｍｍの不織布フィルター。
［供試方法］図１３に示すような試験機にて試験を行った。
試験装置、比較対象装置Ａを内径１１０ｍｍの吸気口５０及び排気口５１のある縦５２０ｍｍ、横４１０ｍｍ、高さ３４０ｍｍのボックス５２内に設置し、排気口５１を内径２００ｍｍのシリンダー５３の上手に接続した上で、シリンダー５３の下手からファンで吸引することにより１０Ｌ／ｓｅｃの強制的な空気の流れを起こし、シリンダー５３上手（ボックス排気口側）より距離８００ｍｍの距離位置（シリンダー下手より５０ｍｍ）に供試虫１０匹を入れた両面を１６メッシュのナイロン網５４で覆ったガラスリング５５（外径９０ｍｍ、内径８０ｍｍ、長さ６０ｍｍ）を高さ５０ｍｍの架台５６に載せ設置し、各試験器具装置、比較対象装置Ａのモータに通電した。
通電開始からの時間経過に伴うノックダウン虫数を調査し、ＢｌｉｓｓのＰｒｏｂｉｔ法によりＫＴ５０値を算出した。得られたＫＴ５０値による推定薬剤蒸散量により効力を比較した。
【００６０】
その結果を、表４、表５、表６に示す。
【００６１】
表４の試験装置ＮＯ．１と比較対照装置の効力比から、環状壁を設けることで害虫防除性能が優れたものとなることが判明した。
【００６２】
表４の試験装置ＮＯ．１、ＮＯ．２、ＮＯ．９、ＮＯ．１０の結果から、クリアランス寸法Ｃは１．６ｍｍ以上であると効力比が悪くなるので、１．６ｍｍ以下、つまり軸流ファンの外径Ｒ１の３％以下が好ましいことが判る。
【００６３】
表４の試験装置ＮＯ．１、ＮＯ．３、ＮＯ．４の結果から、外周側ガイド面９ａのテーパが大であることが好ましいことが判る。
【００６４】
表４の試験装置ＮＯ．１、ＮＯ．５、ＮＯ．６の結果から、空気吸込み部１０のテーパが大であることが好ましいことが判る。
【００６５】
表４の試験装置ＮＯ．１、ＮＯ．７、ＮＯ．１１，ＮＯ１２の結果から、環状壁８の軸方向の長さＬ１は、軸流ファン３の軸方向の長さＬ２の０．８倍〜１．７倍が好ましいことが判る。
【００６６】
表５の結果から、内周側ガイド面９ｂの形状は、テーパ形状よりも略円弧形状（Ｒ形状）の方が好ましいことが判る。
【００６７】
本発明において使用される害虫防除成分としては、殺ダニ剤、害虫あるいは害獣忌避剤、殺虫剤または害虫の成長制御剤、吸血行動阻止剤などで、揮散性のものが用いられる。
そして、殺虫を目的として使用する場合、従来より用いられている各種揮散性殺虫剤等を挙げることができる。一般に安全性が高いことからピレスロイド系殺虫剤が好適に用いられる。
さらに、微量で効力を発揮する高活性のメトフルトリン、トランスフルトリン、エムペントリン、テラレスリンが薬剤含浸体を薄く、また小さくできることからより好ましい。
【００６８】
本発明に使用する害虫防除成分を含浸するシート２５としては、通気性の大きい紙、布、織物、不織布やネットなどが例示される。また、載置状態の安定性のために、シート２５を保持する保持材２６の材質としてはポリエチレンテレフタレート、ポリプロピレン、ポリエチレン、ポリアセタール、ナイロン、アクリル、ＡＢＳ、紙、ＡＳ、金属等が挙げられる。さらに携帯性を考えると、その厚みを２〜５ｍｍ、面積を７００〜３０００ｍｍ２と薄く小さくすることが好ましい。
【００６９】
特に、不織布の目付け１０〜１００ｇ／ｍ２のものが好ましく、２０〜５０ｇ／ｍ２のものが更に好ましい。目付けが１００ｇ／ｍ２を超えると、空気抵抗が大きくなり過ぎ、ファンによる風がシートを通過できなくなり、害虫防除成分を拡散することができなくなる。逆に目付けが１０ｇ／ｍ２より下になると、シートに保持させることができる薬剤量が減り製造性が悪くなり、また薬量不足になる恐れがある。
【００７０】
軸流ファンの駆動電源として用いる電池としては、アルカリ単５電池、アルカリ単４電池、アルカリ単３電池、アルカリ単２電池、アルカリ単１電池、マンガン単５電池、マンガン単４電池、マンガン単３電池、マンガン単２電池、マンガン単１電池、角電池、リチウム電池、リチウムボタン電池等の電池を単一で、もしくは複数を直列および並列に組み合わせても良く、また充電式の２次電池を使用しても良く、さらには、電池ではなくＡＣアダプターなどを用いて家庭用電源（ＡＣ１００Ｖ）で使用できるようにしても良い。
【図面の簡単な説明】
【００７１】
【図１】本発明の実施の形態を示すファン式害虫防除装置の平面図である。
【図２】図１のＡ−Ａ断面図である。
【図３】図２のＢ−Ｂ断面図である。
【図４】軸流ファンの平面図である。
【図５】環状壁の異なる形状の説明図である。
【図６】各部の寸法の説明図である。
【図７】空気の排出方向を異なる方向とした断面図である。
【図８】空気流通路の異なる形状とした断面図である。
【図９】空気吸込み部のみを設けた実施の形態の断面図である。
【図１０】薬剤担持体を排気口側に設けた実施の形態の断面図である。
【図１１】図９のＣ−Ｃ断面図である。
【図１２】比較対照装置の断面図である。
【図１３】試験機の説明図である。
【符号の説明】
【００７２】
１…装置本体、２…薬剤担持体、３…軸流ファン、３ａ…ボス、３ｂ…翼、３ｃ…翼端、４…モータ、５…電源、６…吸気口、７…排気口、８…環状壁、８ａ…空気ガイド部、９…空気流通路、９ａ…外周側ガイド面、９ｂ…内周側ガイド面、１０…空気吸込み部。
【図１】
2008259467.tif 000009
【図２】
2008259467.tif 000010
【図３】
2008259467.tif 000011
【図４】
2008259467.tif 000012
【図５】
2008259467.tif 000013
【図６】
2008259467.tif 000014
【図７】
2008259467.tif 000015
【図８】
2008259467.tif 000016
【図９】
2008259467.tif 000017
【図１０】
2008259467.tif 000018
【図１１】
2008259467.tif 000019
【図１２】
2008259467.tif 000020
【図１３】
2008259467.tif 000021
【手続補正書】
【提出日】平成20年3月5日(2008.3.5)
【手続補正１】
【補正対象書類名】明細書
【補正対象項目名】００２９
【補正方法】変更
【補正の内容】
【００２９】
前述のように、環状壁８の内周面は、空気ガイド部８ａと、吐出側の外周側ガイド面９ａと、吸込側の空気吸込み部１０を備え、その外周側ガイド面９ａをテーパ部９ａ−１を有する形状、空気吸込み部１０をテーパ形状としているが、これに限ることはなく、図５（ａ）に示すように空気ガイド部８ａと、テーパ部９ａ−１を有した外周側ガイド面９ａを有する形状、図５（ｂ）に示すように空気ガイド部８ａと外周側ガイド面９ａと空気吸込み部１０を有する形状、図５（ｃ）に示すように空気ガイド部８ａが環状壁８の全長と同一長さの形状としても良い。
また、前述の環状壁８は空気ガイド部８ａ、外周側ガイド面９ａ、空気吸込み部１０を有した一体形状としてあるが、前記環状壁８は空気ガイド部８ａ、外周側ガイド面９ａ、空気吸込み部１０をそれぞれ別部材で形成しても良い。
【手続補正２】
【補正対象書類名】明細書
【補正対象項目名】００４５
【補正方法】変更
【補正の内容】
【００４５】
次に、本発明に係るファン式害虫防除装置の試験例を説明する。
軸流ファン３については、表１に示すように、ボス径Ｄ２、ボステーパ角度θの異なる３種類を準備した。
【手続補正３】
【補正対象書類名】明細書
【補正対象項目名】００４８
【補正方法】変更
【補正の内容】
【００４８】
【表２】
2008259467.tif 000022